(57)【要約】      （修正有）【課題】様々な物品を錘として使用して遊ぶことができ、しかも、その着脱が容易にできるパラシュート玩具を提供する。【解決手段】パラシュート玩具１０は、シート材で形成された傘部２０と、錘Ｗを着脱自在に保持する錘保持部３０と、傘部２０の周縁と錘保持部３０を繋ぎ、傘部２０から錘保持部３０を吊り下げる吊下部材４０を具備し、錘保持部３０は、互いに係止可能な面ファスナを有する一組のバンドテープ３２、３３を備える。【選択図】図２
0003229505.tif 000002
【実用新案登録請求の範囲】
【請求項１】
シート材で形成された傘部と、
錘を着脱自在に保持する錘保持部と、
前記傘部の周縁と前記錘保持部を繋ぎ、前記傘部から前記錘保持部を吊り下げる吊下部
材を具備し、
前記錘保持部は、互いに係止可能な面ファスナを有する少なくとも一組のバンドテープ
を備えるパラシュート玩具。
【考案の詳細な説明】
【技術分野】
【０００１】
本考案は、空中に投げ上げ、傘部を空中で展開させて緩やかに落下させて遊ぶパラシュ
ート玩具に関する。
【背景技術】
【０００２】
パラシュート玩具は、一般に、布・樹脂シート・紙等の気体不透過性のシート材から成
る傘部と、錘と、傘部の周縁に接続されて錘を吊り下げる糸・紐とで構成されている。こ
のようなパラシュート玩具を空中に投げ上げると、傘部が展開して空気抵抗を受け、錘を
下方に位置させながら、揺れながら緩やかに落下する。このようなパラシュート玩具は古
くから知られている。
【考案の概要】
【考案が解決しようとする課題】
【０００３】
上述したパラシュート玩具にあっては、次のような問題があった。すなわち、これらの
パラシュート玩具は、いずれも、特定の錘（例えば樹脂材製の人形等）が固定されている
。このため、様々な物品を錘として使用して遊ぶことができなかった。これにより、錘の
材質や重量を変えて落下の様子を観察することもできなかった。
【０００４】
本考案は以上のような事情によってなされたもので、様々な物品を錘として使用して遊
ぶことができ、しかも、その着脱が容易にできるパラシュート玩具を提供することを目的
とする。
【課題を解決するための手段】
【０００５】
前記課題を解決し目的を達成するために、本考案のパラシュート玩具は次のように構成
されている。
【０００６】
請求項１に記載の考案は、シート材で形成された傘部と、錘を着脱自在に保持する錘保
持部と、前記傘部の周縁と前記錘保持部を繋ぎ、前記傘部から前記錘保持部を吊り下げる
吊下部材を具備し、前記錘保持部は、互いに係止可能な面ファスナを有する少なくとも一
組のバンドテープを備えるパラシュート玩具である。
【０００７】
請求項２に記載の考案は、前記錘保持部が、前記バンドテープを複数組備える請求項１
に記載のパラシュート玩具である。
【０００８】
請求項３に記載の考案は、前記吊下部材がメッシュ材で形成されている請求項１又は２
に記載のパラシュート玩具である。
【考案の効果】
【０００９】
本考案においては、錘保持部が互いに係止可能な面ファスナを有する一組のバンドテー
プを備えているから、任意の物品を錘としてこの錘保持部に固定することができる。しか
も、その固定は容易に可能であり、別の物品に置換することも容易である。このように錘
保持部に任意の物品を固定した玩具は、従来のパラシュート玩具と同様に空中に投げ上げ
て遊ぶことができる。そして、このため、錘の材質や重量を変えて落下の様子を観察する
ことも可能となる。
【図面の簡単な説明】
【００１０】
【図１】図１は本考案の第１の実施の形態に係るパラシュート玩具の説明図である。
【図２】図２は同パラシュート玩具に錘を固定した状態を示す説明図である。
【図３】図３は本考案の第２の実施の形態に係るパラシュート玩具の説明図である。
【考案を実施するための形態】
【００１１】
以下、本考案の好ましい実施形態に従うパラシュート玩具について、添付図面を参照し
ながら詳しく説明する。但し、以下に説明する実施形態によって本考案の技術的範囲は何
ら限定解釈されることはない。図１は本考案の第１の実施の形態に係るパラシュート玩具
１０を示している。図１に示すように、本考案のパラシュート玩具１０は、傘部２０と、
錘保持部３０と、これら傘部２０と錘保持部３０とを繋ぐ吊下部材４０とで構成されてい
る。
【００１２】
このうち、傘部２０は、パラシュート玩具１０を空中の投げ上げたとき傘状に展開して
空気抵抗を受け、その落下速度を緩やかにするものである。このため、この傘部２０は気
体を透過しないフレキシブルなシート材で構成されている必要がある。空気抵抗を有する
シート材は、例えば、ポリエステル樹脂シートやポリプロピレン樹脂シート等のプラスチ
ックシートである。また、目止めされた布地であってもよい。勿論、傘部２０は、シート
材以外の素材や部品等を含んでいてもよい。
【００１３】
傘部２０は、円形に切断したシートから形成される。傘部２０の周縁は、吊下部材４０
の周縁に接合される。
【００１４】
錘保持部３０は錘Ｗを着脱自在に保持する部材である。錘保持部３０は、吊下部材４０
内側に配置された円板状の当て布３１と、この当て布３１に対し、吊下部材４０の下端を
挟んで配置された一組のバンドテープ３２，３３を備えている。バンドテープ３２の上面
には、フック状に起毛した面ファスナ３２ａ、バンドテープ３３の下面には、ループ状に
起毛した面ファスナ３３ａが取り付けられており、互いに係止可能な面ファスナを有する
。なお、フック側とループ側は逆であってもよい。
【００１５】
これらバンドテープ３２の上面と、バンドテープ３３の下面を互いに押し付けることに
より、多数のフック状起毛と多数のループ状起毛とが係止され、互いに分かち難く係止さ
れることとなる。なお、１つのフック状起毛と１つのループ状起毛同士の結合力は小さい
ため、結合している面の端から少しずつ引き剥がすとフック状起毛とループ状起毛とが徐
々に外れていき、子供の力でも取り外しが可能である。
【００１６】
そして、この一組のバンドテープ３２，３３で任意の物品を緊密に包み、バンドテープ
３２，３３を互いに係止することによりこの物品を固定して錘Ｗとして使用することがで
きる（図２参照）。もちろん、別の物品に置換することも容易である。なお、錘Ｗは任意
の物品でよいが、一組のバンドテープ３２，３３で固定できる大きさであること、遊戯者
が容易に投げ上げることができ、しかも、こうして投げ上げたパラシュート玩具１０が落
下する際に、下方に位置してパラシュート玩具１０の姿勢を保つことができる重さである
ことが望ましい。例えば、重さ２０〜３０ｇ程度のボールである。また投げ上げてから落
下してくる際の安全性を考慮すると、錘Ｗには柔軟性と弾性を有するゴム等の素材を使用
することが好ましい。
【００１７】
次に、吊下部材４０は傘部２０の周縁と錘保持部３０とを繋ぐ部材である。吊下部材４
０を多数本の紐状物や糸状物で構成してもよいが、この場合には、パラシュート玩具１０
を空中に投げ上げて落下させるとき、多数本の紐状物や糸状物が互いに絡み合って傘部２
０が十分に展開しないことがある。また、一旦絡み合った紐状物や糸状物をほぐすのも煩
雑である。
【００１８】
このため、吊下部材４０は目の粗いネット状シートを逆傘状に構成することが望ましい
。吊下部材４０を粗いネット状シートで構成した場合には、このネット状シートが空気を
透過するから、パラシュート玩具１０が落下するとき、その空気抵抗を傘部２０が受けて
十分に展開することができる。しかも、多数本の紐状物や糸状物と異なり、絡み合うこと
もない。このようなネット状シートとしては、例えば、ポリエステル繊維で構成された編
み物や不織布等を例示できる。
【００１９】
ところで、パラシュート玩具１０を空中に投げ上げて落下させるときには、傘部２０が
バランスをとって十分に展開することで、下方から空気抵抗を受ける必要がある。このた
め、錘Ｗは展開した傘部２０の軸線上に位置することが望ましい。例えば、傘部２０が円
形状であれば、錘保持部３０を傘部２０の周縁から等距離の位置に設けることにより、錘
保持部３０に固定された錘Ｗをパラシュート玩具１０の落下時に傘部２０の軸線上に配置
させることが可能となる。
【００２０】
例えば、傘部２０を円形状の気体不透過性シートで構成し、吊下部材４０を同形同大の
ネット状シートで構成して、傘部２０の周縁部と吊下部材４０の周縁部とを、その全周に
渡って互いに縫合して一体化させ、吊下部材４０の中心に錘保持部３０を配置すればよい
。
【００２１】
なお、傘部２０と吊下部材４０との固定方法は縫合に限られない。ヒートシールや接着
剤による接着であってもよい。吊下部材４０と錘保持部３０との固定方法も同様である。
【００２２】
傘部２０は、円形シートではなく、扇形の径方向の比率をやや拡大した形状の異形扇形
シートを周方向に複数枚繋ぎ合わせて形成するようにしてもよい。異形扇形シートを用い
ると展開時に上方視で円形状となる。また、異形扇形シートではなく、二等辺三角形状の
シートを繋ぎ合わせて、正八角形状等の正多角形状としても良い。また、円形状や正多角
形状でなくても、長方形状等の多角形状とすることも可能である。
【００２３】
図３は、本考案の第２の実施の形態に係るパラシュート玩具１０Ａを示す斜視図である
。上述したパラシュート玩具１０においては、錘保持部３０として一組のバンドテープ３
２，３３を使用したが、バンドテープは一組に限られない。すなわち、２組のバンドテー
プで錘保持部３０Ａを構成すると、物品をさらに強固に固定することができる。図３は、
このように二組のバンドテープ３２，３３及びバンドテープ３４，３５で錘保持部３０を
構成したパラシュート玩具１０Ａを示している。なお、バンドテープ３４，３５にもそれ
ぞれ面ファスナ３４ａ，３５ａが取り付けられている。
【００２４】
すなわち、このパラシュート玩具１０Ａは、互いに直交するように配置されたバンドテ
ープ３２，３３と、バンドテープ３４，３５で錘保持部３０Ａを構成したもので、錘Ｗと
して固定する物品が球状であっても、これが外れることなく強固に固定することができる
。
【００２５】
上述したパラシュート玩具１０，１０Ａは、２本で一組となるバンドテープを用いたが
、３本一組としてもよい。例えば３本の場合は１２０度間隔に配置するなど等間隔に配置
するのが好ましい。この場合、３本目のバンドテープは両面に面ファスナを形成するよう
にする。
【００２６】
なお、本考案は、上記実施形態に限定されるものではなく、実施段階ではその要旨を逸
脱しない範囲で種々に変形することが可能である。また、各実施形態は適宜組み合わせて
実施してもよく、その場合組み合わせた効果が得られる。更に、上記実施形態には種々の
考案が含まれており、開示される複数の構成要件から選択された組み合わせにより種々の
考案が抽出され得る。例えば、実施形態に示される全構成要件からいくつかの構成要件が
削除されても、課題が解決でき、効果が得られる場合には、この構成要件が削除された構
成が考案として抽出され得る。
【符号の説明】
【００２７】
１０，１０Ａ…パラシュート玩具、２０…傘部、３０，３０Ａ…錘保持部、３１…当て
布、３２，３３，３４，３５…バンドテープ、３２ａ，３３ａ，３４ａ，３５ａ面ファス
ナ、４０…吊下部材、Ｗ…錘。
【図１】
0003229505.tif 000003
【図２】
0003229505.tif 000004
【図３】
0003229505.tif 000005